(57)【要約】      （修正有）【課題】振動・衝撃を生じるような自動車のダッシュボードなどの被載置面においても、携帯電話・ＰＤＡ等のモバイル端末を堅固に保持しつつ、端末を容易に着脱できるよう装着可能とする。さらに保持中の端末の操作性を向上させ、固定位置を容易に調整することができるモバイル端末保持装置を提供する。【解決手段】モバイル端末を保持する端末保持体１と、端末保持体１の下部を被覆するシート２と、端末保持体１の底面下に敷設されたマット３と、係留紐・充電コード等の線状体とを拘持する留具５とで構成されている。端末保持体１の底面にマット３を敷設し、マット３の底面とダッシュボードとが接することとなる。シート２が端末保持体１の下部と、マット３の上面を被覆する。なお、留具５は、シート２の四隅に４つ設けているが、その位置、数量は保持するモバイル端末に応じて、任意に設定することが可能である。【選択図】図１
0003144009.tif 000002
【実用新案登録請求の範囲】
【請求項１】
被載置面に、モバイル端末を着脱自在に保持する端末保持体と、該端末保持体の下部を被覆するシートとを備えることを特徴とするモバイル端末保持装置
【請求項２】
請求項１記載のモバイル端末保持装置であって、前記端末保持体が、モバイル端末の背面を付着させて保持することを特徴とするモバイル端末装置
【請求項３】
請求項１若しくは２記載のモバイル端末保持装置であって、前記端末保持体の底面が、粘着性を有する素材で構成されることを特徴とするモバイル端末保持装置
【請求項４】
請求項１〜３いずれか記載のモバイル端末保持装置であって、前記端末保持体の底面下に、粘着性を有するマットを敷設することを特徴とするモバイル端末保持装置
【請求項５】
請求項１〜４いずれか記載のモバイル端末保持装置において、前記シートに、該モバイル端末に関する線状体を係止する留具を一又は複数備えることを特徴とするモバイル端末の保持装置
【考案の詳細な説明】
【技術分野】
【０００１】
本考案は、携帯電話・ＰＤＡ（登録商標）等の携帯情報機器（以下、「モバイル端末」という。）を、着脱自在に保持する装置に関する。
【背景技術】
【０００２】
現在では、モバイル端末に、ＧＰＳ機能・ワンセグ視聴機能等が付加され、その高機能化により、どのような場所でも使用したいという需要が多くなってきているが、ワンセグを視聴する場合等、手に持たずに載置するのが通常の使用態様となる。
しかし、振動・衝撃の生じる場所、例えば自動車のダッシュボード上に載置する場合など、前方視界の妨げ、端末の固定位置のずれ、端末の転動等が問題となる。
自動車のダッシュボード上にモバイル端末を固定する技術の一例として、特開２００３−２２０８９６号公報が開示されている。
【特許文献１】特開２００３−２２０８９６号公報
【考案の開示】
【考案が解決しようとする課題】
【０００３】
モバイル端末を振動・衝撃の生じる、例えば自動車のダッシュボード上に載置するような場合、堅固に保持する必要があるが、モバイル端末の性質上、車外においても使用するものであるため、その着脱は容易に行えることが望ましい。
しかし、従来の車載用携帯ホルダー（以下、「ホルダー」という。）においては、携帯電話にかかる重力と、携帯電話とホルダーとの摩擦力によって、携帯電話本体が固定されるため、運転中の走行振動・衝撃に対応するよう堅固に保持しようとする場合、容易に着脱することが困難である。
【０００４】
また、スプリングを用いて上下又は左右から携帯電話を挟んで固定するホルダーや、箱状のホルダーにおいては、携帯電話の側面の一部が隠れるため、保持状態においては、携帯電話の側面に配置された操作ボタンを使用できないという不都合がある。
【０００５】
さらに、従来のホルダーにおいては、ホルダー自体を、ダッシュボード上に両面粘着テープにて固定したり、エアコン吹き出し口に固定するようになっており、一旦設置してしまうと容易に設置位置を調整することは難しく、運転席と助手席に搭乗する者の両者の視線に即座に対応させることが困難である。
【０００６】
そして、設置後においては、ホルダー自体の取り外しが容易ではないため、携帯電話をホルダーに保持していないときであっても、ホルダー自体を設置状態にしておくのが通常であり、美観を損なう上、前方視界を妨げるという問題がある。
【０００７】
ワンセグ視聴をする場合等、携帯電話の大多数の機種が横置きにする必要があるが、縦置きにして保持する構造となっているホルダーでは、その機能が使用できないという問題がある。
【０００８】
携帯電話に充電コードや係留紐を装着して保持する場合に、従来のホルダーの構造では、それらを拘持するには、不十分な形状であるものが多い。
【０００９】
そこで、本考案は、自動車のダッシュボード上に、モバイル端末を堅固に保持できるとともに、その着脱を容易にし、保持中のモバイル端末の操作性を向上させ、その固定位置を容易に調整できるモバイル端末を保持する装置を提供することを目的とする。
【課題を解決するための手段】
【００１０】
請求項１記載のモバイル端末保持装置は、モバイル端末を着脱自在に保持する端末保持体と、該端末保持体の下部を被覆するシートとを備えることを特徴とする。
【００１１】
前記の考案によれば、モバイル端末を着脱自在に保持することができるとともに、被載置面とシートの色彩を揃えることにより、保持装置を目立たせることなく設置することが可能となる。
【００１２】
請求項２記載のモバイル端末保持装置は、請求項１記載のモバイル端末保持装置であって、前記端末保持体が、モバイル端末の背面を付着させて保持することを特徴とする。
【００１３】
前記の考案によれば、モバイル端末の背面を、端末保持体付着させて保持するため、端末の上下面及び側面を覆うものがなくなり、当該面に位置する操作ボタンの使用にストレスがなくなり、縦置き・横置きでの保持位置を自在に設定可能となる。
【００１４】
請求項３記載のモバイル端末保持装置は、請求項１若しくは２記載のモバイル端末保持装置であって、前記端末保持体の底面が、粘着性を有する素材で構成されることを特徴とする。
【００１５】
前記の考案によれば、端末保持体の底面に粘着性を持たせることにより、端末保持体底面とを被載置面とが堅固に固定され、粘着性を低移行性とすることにより、設置位置を容易に修正することが可能となる。
端末保持体が粘着性を有する素材で構成されてる他、端末保持体底面を粘弾性ポリウレタン樹脂のような粘着性を有する樹脂をコーティングしたり、粘着性を有する軟質ゴムマットを端末保持体底面に接着する構成が考えられる。
【００１６】
請求項４記載のモバイル端末保持装置は、請求項１〜３いずれか記載のモバイル端末保持装置であって、前記端末保持体の底面下に、粘着性を有するマットを敷設することを特徴とする。
【００１７】
前記の考案によれば、端末保持体底面と被載置面との間に、粘着性を有する軟質ゴムマット等を敷設することにより、両者が堅固に固定されるとともに、粘着性を低移行性とすることにより、設置位置を容易に調整することが可能となる。
また、端末保持体底面よりも大きいマットを敷設することにより、端末保持体下部と該マットを被覆するシートにより、端末保持体とマットとが、より堅固に固定される。さらに、柔軟性を有するマット及びシートを使用することにより、自動車のダッシュボードのような曲面にも対応させることができる。
【００１８】
請求項５記載のモバイル端末保持装置は、請求項１〜４いずれか記載のモバイル端末保持装置において、前記シートに、該モバイル端末に関する線状体を係止する留具を一又は複数備えることを特徴とする。
【００１９】
前記の考案によれば、シートに設けられた留具により、モバイル端末に装着された充電コード・係留紐等の線状体を拘持することができる。そして、留具の位置・数量を変更することにより、様々なモバイル端末機種に対応させることが可能となる。
【考案の効果】
【００２０】
本考案によれば、モバイル端末を載置する際に、振動・衝撃が生じる自動車のダッシュボード上のような所であっても、着脱が容易の状態で、モバイル端末を堅固に保持でき、保持中のモバイル端末の操作に不自由を感じさせず、その固定位置を容易に調整できる等の優れた効果を得ることができる。
【考案を実施するための最良の形態】
【００２１】
以下、図面を参照しつつ、考案の実施の形態について説明する。なお、本実施の形態については、モバイル端末として携帯電話を使用し、被載置面を自動車のダッシュボードとした場合について説明する。
【００２２】
なお、本考案の実施の形態の説明としては、モバイル端末として携帯電話を使用しているが、これは例示であって、ＰＤＡ（登録商標）、携帯テレビ、携帯ビデオプレーヤ、簡易カーナビ、携帯音楽プレーヤ等の他のモバイル端末においても実施可能である。
そして、被載置面を自動車のダッシュボードとしているが、他の平面・緩やかな湾曲面においても実施可能である。
【００２３】
本考案の実施の形態に係るモバイル端末保持装置の構成について説明をする。図１は、全体の構成を示す図である。
【００２４】
携帯電話を保持する端末保持体１と、端末保持体１の下部を被覆するシート２と、端末保持体１の底面下に敷設されたマット３と、係留紐・充電コード等の線状体とを拘持する留具５とで構成されている。
【００２５】
端末保持体１の底面にマット３を敷設し、マット３の底面とダッシュボードとが接することとなる。シート２が端末保持体１の下部と、マット３の上面を被覆する。
なお、留具５はシート２の四隅に４つ設けているが、その位置、数量は保持する携帯電話の機種に応じて、任意に設定することが可能である。
【００２６】
次に、図２を参照しつつ、本実施例のモバイル端末保持装置を構成する各部品について説明する。
端末保持体１は、携帯電話背面と平行に起立する板状の部材１１と、部材１１の台座となる板状の部材１２と、携帯電話背面と部材１１を付着するマジックテープ（登録商標）１３で構成される。
携帯電話の背面を固定するため、部材１１の形状によっては、縦向きでも横向きにでも固定することが可能となる。
ここで、部材１１と部材１２とは垂直に固定されているが、任意の角度に固定することができ、部材１１と部材１２とを一体構造としてもよく、板状に限らず、端末保持に不都合がない限り、任意の形状とすることができる。
また、固定方法も、マジックテープ（登録商標）１３に限られるものではなく、マグネットシート等の手段とすることもできる。
【００２７】
シート２は、切り欠き部分２１から部材１１が露出するように、端末保持体１の台座である部材１２とマット３上面を覆うことにより、端末保持体１とマット３を固定する補助となるものであり、留具５を設置するベースとなるものである。
このシート２は、端末保持体１をダッシュボードに着脱する際に、繰り返し曲折されるものであり、ダッシュボードの複雑な曲面に適合させるためにも、繰り返し曲折されても損傷しにくく、かつ柔軟な素材である合成皮革・布・合成ゴム等が適している。
留具５は、係留紐・充電コード等の線状体が走行中に、不安定にぶらぶらすることがないように拘持するためのものである。本実施例においては、リベットとワッシャを使用し、コード等を絡ませるようにして拘持するが、クリップ等を用いて挟んで拘持する事も可能である。
なお、部材１１・シート２上面をつや消しの濃色としたり、留具５の表面につや消しの黒メッキ処理等をすることにより、フロントウインドに当該モバイル端末保持装置の写り込みを低減することが可能となる。
【００２８】
マット３は、端末保持体１の底面とダッシュボードとの間に敷設され、端末保持体１をダッシュボードに粘着力により固定するためのものであり、携帯電話と端末保持体１を保持する十分な粘着性を有する素材からなる。
ダッシュボードの複雑な曲面に対応するために柔軟性があり、携帯電話の設置位置の調整のし易さから粘着性が低移行性であり、走行中の衝撃から携帯電話を保護するためには弾性のある素材が好ましい。このような素材として、粘弾性ポリウレタン樹脂等が考えられる。
【００２９】
また、図３に示すマット４のように、部材１２に対応する孔４２を穿設し、底面に粘着性をもたせた部材１２を嵌合させることにより、部材１２とマット４との段差がなくなり、覆わせるシート２をより平面に近い状態とすることができる。
留具５に対応する孔３１・４１も同様の効果を得るためのものであるが、留具の形状によっては効果の薄い場合もあるため、特に必要なものではないが、留具５のシート２底面より突起する部分が、マット３１・４１の厚みより小さい場合には、ダッシュボード表面に擦傷痕が発生し難いという効果が得られる。
【００３０】
本実施例のモバイル端末保持装置に携帯電話６を装着した例が図４となり、部材１１は携帯電話６に隠れて正面からは見えなくなり、余計な突起物等もなく、前方の視界を妨げないという効果が得られる。
係留紐７と充電コード８とは、留具５に絡ませることにより、拘持される。
【図面の簡単な説明】
【００３１】
【図１】本考案の実施の形態に係るモバイル端末保持装置の全体構成図である。
【図２】本考案の実施の形態に係るモバイル端末保持装置の構成各部品を示す図である。
【図３】本考案の実施の形態に係るモバイル端末保持装置を構成するマットの一例を示す図である。
【図４】本考案の実施の形態に係るモバイル端末保持装置に携帯電話の装着例を示す図である。
【図５】本考案の実施の形態に係るモバイル端末保持装置にマット３を使用した場合の正面図である。
【図６】本考案の実施の形態に係るモバイル端末保持装置のマット４を使用した場合の正面図である。
【符号の説明】
【００３２】
１              端末保持体
２              シート
３              マット
４              部材１２底面に対応する孔を穿設したマット
５              留具
６              携帯電話
７              係留紐
８              充電コード
１１            端末保持体部材
１２            端末保持体台座部材
１３            マジックテープ（登録商標）
２１            シート２に穿設する部材１１に対応する孔
３１            マット３に穿設する留具５に対応する孔
４１            マット４に穿設する留具５に対応する孔
４２            マット４に穿設する部材１２に対応する孔
【図１】
0003144009.tif 000003
【図２】
0003144009.tif 000004
【図３】
0003144009.tif 000005
【図４】
0003144009.tif 000006
【図５】
0003144009.tif 000007
【図６】
0003144009.tif 000008